(57)【要約】【課題】衝撃に強いステンドグラスの構造を提供することを課題とする。【解決手段】ステンドグラス構造として、所定形状の空間を囲む枠体と、縁部同士が接触するように組み合わせられる２枚以上の色の異なるガラス板からなり、前記枠体の空間に嵌ることで各ガラス板の板面に平行な方向の移動が拘束されるステンドグラス本体と、前記枠体の背面側に固定される前記ステンドガラス本体の背面側を支持する板からなる背面板と、前記枠体の前面側に固定される前記ステンドガラス本体の前面側を支持する透明な板からなる前面板とより構成する。【選択図】  図２
2014015367.tif 000002
【特許請求の範囲】
【請求項１】
所定形状の空間を囲む枠体と、
縁部同士が接触するように組み合わせられる２枚以上の色の異なるガラス板からなり、前記枠体の空間に嵌ることで各ガラス板の板面に平行な方向の移動が拘束されるステンドグラス本体と、
前記枠体の背面側に固定される前記ステンドガラス本体の背面側を支持する板からなる背面板と、
前記枠体の前面側に固定される前記ステンドガラス本体の前面側を支持する透明な板からなる前面板と
を有するステンドグラス構造。
【請求項２】
前記背面板は透明な板により形成される請求項１に記載のステンドグラス構造。
【請求項３】
前記枠体は透明な板により形成される請求項１又は２に記載のステンドグラス構造。
【請求項４】
前記前面板はガラス板により形成される請求項１から３のいずれか１項に記載のステンドグラス構造。
【請求項５】
前記枠体、前記背面板、前記前面板にはそれぞれ重ねた状態において連通孔を形成する円形断面の貫通孔が形成されるとともに、前記前面板の貫通孔の前面側及び前記背面板の貫通孔の背面側には所定形状のザグリが設けられ、
前記連通孔の前記ザグリ部分を除いた部分にほぼ合致する円柱体であって、両端に前記ザグリに嵌る少なくとも一方に係合穴が設けられたネジ頭が設けられた円柱体を端部もしくは中間部で二分し、二分した一方の端面に雄ネジを設けるとともに、二分した他方の端面に当該雄ネジに係合する雌ネジを設けた係合具を用いて前記連通孔部分を一体に締結することで、前記背面板及び前記前面板を前記枠体に固定する請求項１から４のいずれか１項に記載のステンドグラス構造。
【発明の詳細な説明】
【技術分野】
【０００１】
本発明は、ステンドグラスの構造に関し、特に鉛線をしないものに関する。
【背景技術】
【０００２】
ステンドグラスは、色ガラス片を溝が形成された鉛線により接合して組み合わせて絵や模様を表現するものである。
【発明の概要】
【発明が解決しようとする課題】
【０００３】
このような構造を有する従来のステンドグラスは、柔らかい鉛線でガラス同士を接合しているので衝撃に弱いという問題がある。
本発明は、この問題に対して、衝撃に強いステンドグラスの構造を提供することを課題とする。
【課題を解決するための手段】
【０００４】
上記課題を解決するために、本発明は次のような構成を有する。
請求項１に記載の発明は、所定形状の空間を囲む枠体と、縁部同士が接触するように組み合わせられる２枚以上の色の異なるガラス板からなり、前記枠体の空間に嵌ることで各ガラス板の板面に平行な方向の移動が拘束されるステンドグラス本体と、前記枠体の背面側に固定される前記ステンドガラス本体の背面側を支持する板からなる背面板と、前記枠体の前面側に固定される前記ステンドガラス本体の前面側を支持する透明な板からなる前面板とを有するステンドグラス構造である。
請求項２に記載の発明は、前記ステンドグラス構造において、前記背面板は透明な板により形成されるものである。
請求項３に記載の発明は、前記ステンドグラス構造において、前記枠体は透明な板により形成されるものである。
請求項４に記載の発明は、前記ステンドグラス構造において、前記前面板はガラス板により形成されるものである。
請求項５に記載の発明は、前記ステンドグラス構造において、前記枠体、前記背面板、前記前面板にはそれぞれ重ねた状態において連通孔を形成する円形断面の貫通孔が形成されるとともに、前記前面板の貫通孔の前面側及び前記背面板の貫通孔の背面側には所定形状のザグリが設けられ、前記連通孔の前記ザグリ部分を除いた部分にほぼ合致する円柱体であって、両端に前記ザグリに嵌る少なくとも一方に係合穴が設けられたネジ頭が設けられた円柱体を端部もしくは中間部で二分し、二分した一方の端面に雄ネジを設けるとともに、二分した他方の端面に当該雄ネジに係合する雌ネジを設けた係合具を用いて前記連通孔部分を一体に締結することで、前記背面板及び前記前面板を前記枠体に固定するものである。なお、係合穴にはすりわりが含まれる。
【発明の効果】
【０００５】
以上のような構成により、本発明は次のような効果を奏する。
請求項１に記載の発明は、異なる色のガラスを組み合わせたステンドグラス本体が板面に平行な方向の動きは枠体に拘束されるとともに、板面に直交する方向の動きは前面板と背面板とに狭持されて拘束されるので、細く柔らかい鉛線で拘束される従来のステンドグラスの構造に比較して、衝撃に対して強くすることができる。
請求項２に記載の発明は、背面板を透明にすることで前面から背面まで透けたステンドグラスとすることができる。
請求項３に記載の発明は、枠体を透明にすることで構造物全体をほぼ透明なものとすることができる。
請求項４に記載の発明は、前面板をガラス板とすることで、近接して観察したときにガラスとしての質感を確保することができる。
請求項５に記載の発明は、係合具の頭部が前面板及び背面板表面に収まるので前面及び背面を平らにすることができる。
【図面の簡単な説明】
【０００６】
【図１】実施形態に係るステンドグラスの斜視図である。
【図２】実施形態に係るステンドグラスの分解斜視図である。
【図３】実施形態に係るステンドグラスの固定部分における分解縦断面図である。
【発明を実施するための形態】
【０００７】
以下、本発明の実施の形態について、図面を参照しながら説明する。
図１に本実施形態に係るステンドグラスXの斜視図を示し、図２にステンドグラスＸの分解斜視図を示す。また、図３に図１のＡ−Ａ線断面における分解断面図を示す。ステンドグラスＸは、枠体１０、ステンドグラス本体２０、前面板３０、背面板４０、係合具５０から構成される。なお、図１では、透明な前面板３０が透けた状態で表されている。
枠体１０は、中央に長方形の穴からなる空間１１が中央に形成された長方形の板体であり、四隅に円形断面の貫通孔１２が設けられる。
ステンドグラス本体２０は、色の異なる複数の色ガラス板２１ａ、２１ｂ、２１ｃ、２１ｄ、２１ｅから構成される。各色ガラス板２１ａ、２１ｂ、２１ｃ、２１ｄ、２１ｅを組み合わせると、枠体１０の空間１１にほぼ嵌る形状の長方形の板となる。なお、ステンドグラス本体２０を構成する色ガラス板２１ａ、２１ｂ、２１ｃ、２１ｄ、２１ｅと、枠体１０の厚さは略一致する。
【０００８】
前面板３０は、枠体１０と外形が一致する長方形状の無色透明なガラス板から構成される板体であり、枠体１０と辺を揃えて重ねたときに、枠体１０の四つの貫通孔１２と重なる位置に貫通孔１２と同じ内径を有する貫通孔３１が設けられる。各貫通孔３１の前面側には皿ネジのネジ頭が嵌るザグリが形成されている。
背面板４０は、前面板３０と同じ形状を有し、枠体１０と外形が一致する長方形状の無色透明なガラス板から構成される板体であり、枠体１０と辺を揃えて重ねたときに、枠体１０の四つの貫通孔１２と重なる位置に貫通孔１２と同じ内径を有する貫通孔４１が設けられる。各貫通孔４１の裏面側には前面板３０の貫通孔３１と同じ大きさの皿ネジのネジ頭が嵌るザグリが形成されている。
【０００９】
係合具５０は、一般にネジ式ビスといわれる係合具であって、雌ネジ部５１と雄ネジ部５２とから構成される。雌ネジ部５１は雌ネジが切られたスリーブの一端側に、前面板３０の貫通孔３１及び背面板４０の貫通孔４１に形成されたザグリに嵌る大きさの皿ネジのネジ頭が固定されたものである。スリーブの外形は枠体１０の貫通孔１２の内径にほぼ等しく、スリーブの長さは、枠体１０、前面板３０、背面板４０を重ねたときに各貫通孔１２、３１、４１が連なる連通孔から両端のザグリ部分を除いた部分の長さにほぼ等しい。雄ネジ部５２は一般的な皿ネジと略同じ構造を有し、雌ネジ部５１の雌ネジに係合する雄ネジの一端に前面板３０の貫通孔３１及び背面板４０の貫通孔４１に形成されたザグリに嵌る大きさの皿ネジのネジ頭が固定されたものである。なお、雌ネジ部５１と雄ネジ部５２のネジ頭には、すりわり、プラス穴、六角穴などの係合穴が少なくとも一方に形成されていれば足りる。
【００１０】
以上のような構成を有するステンドグラスＸを組み立てるには、まず、ステンドグラス本体２０を構成する色ガラス板板２１ａ、２１ｂ、２１ｃ、２１ｄ、２１ｅを組み立てて枠体１０の空間１１に嵌め入れ、この状態で枠板１０を前面板３０、背面板４０に辺を揃えて挟む。これにより枠体１０の貫通孔１２、前面板３０の貫通孔３１、背面板の貫通孔４１が連通するので、この連通孔に前面板３０又は背面板４０のいずれか一方側から係合具５０の雌ネジ部５１を通し、他方側から雄ネジ部５２を雌ネジ部５１に係合させる。四つの連通孔全てに係合具５０が締結できればステンドグラスＸは図１のような状態となり完成する。
ステンドグラスＸは、ステンドグラス本体２０が枠体１０により、板面に平行な移動が拘束されるとともに、前面板３０及び背面板４０により板面に垂直な移動が拘束されるので、特に板面に垂直な方向は前面板３０及び背面板４０が破壊されない限り動かず、鉛線で拘束する従来のステンドグラスに比較して衝撃に強い。
【００１１】
なお、上記実施形態では、枠体１０の空間１１の形状は長方形状であったが、どのような形状を採用してもよく、また、ステンドグラス本体２０も枠体１０の空間１１で板面に平行な方向に移動が規制されれば色ガラスの形状は任意であり、また、隙間ができていたり、他の素材の板が嵌っていたりしてもよい。さらに、枠体１０の材質は、強度を確保するために金属にしたり、全体を透明にするためにガラスや透明な合成樹脂にしたり等、任意の材質を採用することができる。同じように背面板４０の材質も鏡面にしたり、模様を描いた不透明な板にしたり等適宜変更することができる。前面板３０の材質も透明であれば、ガラスの他、透明な合成樹脂板を採用してもよい。それから、枠体１０、前面板３０、背面板４０同士の固定方法も、接着剤を用いたり、縁部を金具で狭持するようにしたり等種々の方法が採用できる。
【符号の説明】
【００１２】
Ｘ  ステンドグラス
１０  枠体
１１  空間
１２  貫通孔
２０  ステンドグラス本体
２１ａ、２１ｂ、２１ｃ、２１ｄ、２１e  色ガラス
３０  前面板
３１  貫通孔
４０  背面板
４１  貫通孔
５０  係合具
【図１】
2014015367.tif 000003
【図２】
2014015367.tif 000004
【図３】
2014015367.tif 000005